(57)【特許請求の範囲】
【請求項１】
カラオケ放送送信側に、カラオケ放送受信側からのカラオケ曲のリクエストを受け付けるリクエスト受付手段と、前記リクエスト受付手段の受付情報及びカラオケ曲情報が記録される記録手段と、カラオケ曲を演奏するカラオケ演奏手段と、カラオケ放送受信側へリクエスト曲の演奏開始を通知しカラオケ放送受信側からのカラオケ演奏手段への演奏指示命令を受け付けるコールバック手段と、前記リクエスト受付手段を制御し前記リクエスト受付手段の受付情報を前記記録手段に記録し前記リクエスト受付情報に基づいてカラオケ曲を選択し前記カラオケ演奏手段への演奏指示命令に基づき前記カラオケ演奏手段を制御する制御手段と、カラオケ曲の演奏情報を変調してカラオケ放送受信側へ送信する送信手段とを備え、
カラオケ放送受信側に、前記カラオケ曲の演奏情報を受信して復調し再生する受信手段と、前記リクエスト情報や前記演奏指示命令をカラオケ放送送信側へ送信する通信手段とを備えることを特徴とするコールバック機能付きカラオケシステム。
【請求項２】
カラオケ放送送信側に、カラオケ放送受信側からのゲームのリクエストを受け付けるリクエスト受付手段と、ゲーム機能を内蔵したカラオケ演奏手段と、カラオケ放送受信側に前記ゲームの開始を通知しカラオケ放送受信側からのゲーム操作命令を受け付けるコールバック手段と、前記リクエスト受付手段を制御し前記リクエスト受付手段の受付情報を前記記録手段に記録し前記リクエスト受付情報に基づいてゲームを選択し前記カラオケ演奏手段へのゲーム操作命令に基づき前記カラオケ演奏手段を制御する制御手段と、ゲーム情報を変調してカラオケ放送受信側へ送信する送信手段とを備え、
カラオケ放送受信側に、前記ゲーム情報を受信して復調し再生する受信手段と、前記ゲームのリクエスト情報及び前記ゲーム操作命令をカラオケ放送送信側へ送信する通信手段とを備えることを特徴とするコールバック機能付きカラオケシステム。
【発明の詳細な説明】
【０００１】
【発明の属する技術分野】
本発明は、ケーブルテレビ等のカラオケチャンネルにおいて、カラオケ曲のリクエストを受け付けるカラオケシステムに関するものであり、特に、リクエスト曲の演奏開始時に、リクエスト者へコールバックを行い、コールバック時に演奏中のカラオケ装置の操作をリクエスト者が行うことを特徴とするコールバック機能付きカラオケシステムに関するものである。
【０００２】
【従来の技術】
従来、ケーブルテレビ等のカラオケチャンネルにおいては、カラオケ放送受信側は電話でカラオケ曲のリクエストを行い、リクエスト受付後電話を切って、カラオケ放送送信側がリクエスト曲を放送するのを待ち、リクエスト曲が放送されると、それに合わせて歌っていた。これにより、カラオケ装置がなくても、歌いたい曲を手軽に且つ安価に歌うことができた。
【０００３】
【発明が解決しようとする課題】
しかしながら、リクエスト時に予約曲が多数有る場合は、リクエスト曲が演奏されるまで長時間待つ必要があり、席をはずしている間にリクエスト曲が放送されていたりし、リクエスト曲の放送を見逃すことがあった。また、リクエスト曲の放送は始まったが、希望する演奏キーでなかった場合、リクエストした曲の放送が無駄になっていた。また、前記カラオケチャンネルにおいて、カラオケ装置に内蔵されているゲーム機能を使用したゲームを選択しても、リクエスト者はゲームの操作をできなかった
そこで、本発明は、上述した問題点を解決するためになされたものであり、リクエスト曲の放送が開始される一定時間前になると、カラオケ放送送信側からリクエスト者に電話をかけて、リクエスト曲の放送開始を知らせ、また、リクエスト曲の演奏キーが希望する演奏キーでなかった場合は、前記電話回線を接続したままにしておき、リクエスト者が電話のダイヤルボタンを操作することにより、リクエスト曲演奏中のカラオケ装置の演奏キーを変更できる等、リクエスト者が電話のダイヤルボタンの操作によりカラオケ装置を遠隔操作できるコールバック機能付きカラオケシステムを提供することを目的とする。
また、前記の様にカラオケ曲のリクエストに対応するだけでなく、カラオケシステムに搭載されているゲームをリクエストした場合、リクエストゲームの放送が開始される一定時間前になると、カラオケ放送送信側からリクエスト者に電話をかけて、リクエストゲームの放送開始を知らせ、前記電話回線を接続したままにしておき、リクエスト者が電話のダイヤルボタンを操作することにより、リクエストゲームの操作コマンドをカラオケ装置に入力できるコールバック機能付きカラオケシステムを提供することを目的とする。
【０００４】
【課題を解決するための手段】
前記目的を達成するために、本発明のコールバック機能付きカラオケシステムは、カラオケ放送送信側に、カラオケ放送受信側からのカラオケ曲のリクエストを受け付けるリクエスト受付手段と、前記リクエスト受付手段の受付情報及びカラオケ曲情報が記録される記録手段と、カラオケ曲を演奏するカラオケ演奏手段と、カラオケ放送受信側へリクエスト曲の演奏開始を通知しカラオケ放送受信側からのカラオケ演奏手段への演奏指示命令を受け付けるコールバック手段と、前記リクエスト受付手段を制御し前記リクエスト受付手段の受付情報を前記記録手段に記録し前記リクエスト受付情報に基づいてカラオケ曲を選択し前記カラオケ演奏手段への演奏指示命令に基づき前記カラオケ演奏手段を制御する制御手段と、カラオケ曲の演奏情報を変調してカラオケ放送受信側へ送信する送信手段とを備え、カラオケ放送受信側に、前記カラオケ曲の演奏情報を受信して復調し再生する受信手段と、前記リクエスト情報や前記演奏指示命令をカラオケ放送送信側へ送信する通信手段とを備えたことを特徴とする。
【０００５】
このような特徴を有するコールバック機能付きカラオケシステムにおいては、カラオケ放送受信側がカラオケ曲をリクエストすると、カラオケ放送送信側からリクエスト曲の放送が開始される一定時間前になると、カラオケ放送受信側に電話をかけてリクエスト曲の放送開始を知らせ、また、リクエスト曲の演奏キーが希望する演奏キーでなかった場合等は、前記電話回線を接続したままにしておき、カラオケ放送受信側が電話のダイヤルボタンを操作することにより、リクエスト曲演奏中のカラオケ装置の演奏キー等を希望の設定に変更できる。
したがって、カラオケ放送受信側はコールバック電話を受け取ることにより、リクエスト曲演奏の放送を見逃すことなく、また、コールバック電話のダイヤルボタンを操作することによりカラオケ放送送信側のカラオケ装置を遠隔操作することができ、演奏キー等を希望の設定値にしてカラオケを歌うことができる。
【０００６】
また、請求項２に係わるコールバック機能付きカラオケシステムは、カラオケ放送送信側に、カラオケ放送受信側からのゲームのリクエストを受け付けるリクエスト受付手段と、ゲーム機能を内蔵したカラオケ演奏手段と、カラオケ放送受信側に前記ゲームの開始を通知しカラオケ放送受信側からのゲーム操作命令を受け付けるコールバック手段と、前記リクエスト受付手段を制御し前記リクエスト受付手段の受付情報を前記記録手段に記録し前記リクエスト受付情報に基づいてゲームを選択し前記カラオケ演奏手段へのゲーム操作命令に基づき前記カラオケ演奏手段を制御する制御手段と、ゲーム情報を変調してカラオケ放送受信側へ送信する送信手段とを備え、カラオケ放送受信側に、前記ゲーム情報を受信して復調し再生する受信手段と、前記ゲームのリクエスト情報及び前記ゲーム操作命令をカラオケ放送送信側へ送信する通信手段とを備えたことを特徴とする。
【０００７】
前記特徴を有することにより、カラオケ放送受信側がゲームをリクエストすると、カラオケ放送送信側からゲームの放送が開始される一定時間前に、カラオケ放送受信側に電話をかけてゲームの放送開始を知らせ、また、前記電話回線を接続したままにしておき、カラオケ放送受信側が電話のダイヤルボタンを操作することにより、リクエストゲームの操作コマンドがカラオケ装置に入力される。
したがって、カラオケ放送受信側はコールバック電話を受け取ることにより、リクエストゲームの放送を見逃すことなく、また、コールバック電話のダイヤルボタンを操作することによりカラオケ装置を遠隔操作することができ、ゲームコマンドを入力してゲームを行うことができる。
【０００８】
【発明の実施の形態】
以下、本発明のコールバック機能付きカラオケシステムについて具体化した実施の形態を図面を参照して詳細に説明する。本発明の第１実施形態に係るコールバック機能付きカラオケシステムを図１乃至図４に基づいて説明する。図１は本第１実施形態である本システムの全体構成を示すブロック図である。
ケーブルテレビ等のカラオケ放送において、カラオケ放送送信側１システムでは、リクエスト受付手段としてのリクエスト受付装置１３が公衆電話回線２を介してカラオケ曲のリクエストを受け付ける。そして、リクエスト受付装置１３は、リクエスト受付情報を制御手段としてのカラオケ制御装置１４に出力する。カラオケ制御装置１４は入力されたリクエスト受付情報をハードディスク等の記録手段としての記録装置１２に記録する。また、予め記録装置１２には数千曲のカラオケ曲情報がＭＩＤＩ規格により記録されている。そして、カラオケ制御装置１４は記録装置１２に記録されているリクエスト受付情報に基づき、リクエスト曲情報を記録装置１２より取り出し、カラオケ演奏手段としてのカラオケ装置１６に出力する。また、カラオケ制御装置１４はリクエストを行ったカラオケ放送受信側３のリクエスト情報を記録装置１２より取り出し、コールバック手段としてのコールバック装置１５に出力する。コールバック装置１５は入力されたカラオケ放送受信側３のリクエスト情報に基づいて、コールバックが希望されている場合は演奏開始を知らせる電話をカラオケ放送受信側３にかける。そして、カラオケ装置１６は入力されたリクエスト曲情報をＭＩＤＩ規格に基づいて復調し、送信手段としての変調器１１に出力する。変調器１１は入力されたリクエスト曲情報を変調し、ケーブルテレビ回線４を介して送信する。
【０００９】
また、カラオケ放送受信側３においては、ケーブルテレビ回線４を介して、受信手段としてのチューナ３３によりカラオケ放送を受信、復調し、テレビ３２に出力する。また、リクエスト曲の開始の電話がかかると、リクエスト者は通信手段としての電話機３１の接続によりリクエスト曲の演奏開始を確認し、電話回線２を接続したままにしておき、演奏されている曲の演奏キー等が希望する設定で無かった場合は、電話機３１のダイヤルボタンを押して、カラオケ装置の操作命令に対応するダイヤルボタン番号を公衆電話回線２を介してコールバック装置１５に入力する。ただし、カラオケ装置１６の操作命令とダイヤルボタン番号の組み合わせは、予め決められている。
【００１０】
そして、テレビ放送送信側１において、コールバック装置１５は前記ダイヤルボタン番号のトーン信号が入力するとディジタル符号化し、カラオケ制御装置１４に出力する。カラオケ制御装置１４は入力された前記ダイヤルボタン番号に対応するカラオケ装置操作命令をカラオケ装置１６に出力する。カラオケ装置１６は前記カラオケ装置操作命令が入力するとそれに対応して演奏キー等の設定を変更し、入力されているリクエスト曲情報をＭＩＤＩ規格に基づいて復調し、変調器１１に出力する。変調器１１は入力されたリクエスト曲情報を変調し、ケーブルテレビ回線４を介して送信する。
【００１１】
次に、本第１実施形態のカラオケ装置１６の演奏キー等を変更できるコールバック機能の処理手順を図２のフローチャートを参照して詳細に説明する。まず、カラオケ放送送信側１のカラオケ制御装置１４は、カラオケチャンネルの放送時間中であるかどうかを内蔵されている時刻装置（図１には図示されていない）からの時間情報に基づいて判断し、放送時間中であれば（Ｓ１：Ｙｅｓ）、記録装置１２に記録されているリクエスト受付情報を取り出し、リクエスト曲の未演奏曲があるかどうかチェックし、未演奏曲が無ければ、リクエスト待ちの状態に戻る（Ｓ２：Ｎｏ）。
【００１２】
また、カラオケ制御装置１４は未演奏のリクエスト曲がある場合、未演奏曲で優先度の最も高いリクエスト曲のリクエスト曲情報を記録装置１２より取り出し、カラオケ装置１６に出力する（Ｓ２：Ｙｅｓ）。次に、前記リクエスト曲のリクエスト受付情報にコールバックの要求があれば（Ｓ３：Ｙｅｓ）、コールバックフラグ（図１に図示されていない）をＯＮにし（Ｓ４）、コールバックの要求がなければ（Ｓ３：ＮＯ）、コールバックフラグをＯＦＦにする（Ｓ５）。
次にコールバックＳＵＢ１（コールバック処理のサブルーチン処理）内を実行する（Ｓ４）。コールバックＳＵＢ１のサブルーチン処理手順内容を図３に示すフローチャートを参照して詳細に説明する。まず、カラオケ制御装置１４は、次のリクエスト曲のコールバックが希望されているかどうかコールバックフラグにより判定する（Ｓ３１）。コールバックフラグがＯＮであった場合、カラオケ制御装置１４はコールバックを希望していると判定し、リクエスト受付情報に基づいてコールバック装置１５にリクエスト情報を出力し、リクエスト者へコールバックの電話をかけるように指示命令を出力する（Ｓ３１：Ｙｅｓ）。また、コールバックフラグがＯＦＦのときはメインルーチンに戻る。
次に、コールバック装置１５は前記コールバックの電話をかける指示命令が入力されると、電話回線が接続中であれば（Ｓ３２：Ｙｅｓ）、コールバックフラグをＯＦＦにしてメインルーチンに戻る（Ｓ３９）。また、電話回線が接続中でなければ（Ｓ３２：Ｎｏ）、さきに入力されたリクエスト情報の中のリクエスト者が登録してある電話番号先へ電話をかける（Ｓ３３）。そして、コールバック装置１５は電話の呼び出し回数をカウントし、指定回数以上になった場合は（Ｓ３４：Ｙｅｓ）、電話呼び出しを中止し（Ｓ３５）、コールバックフラグをＯＦＦにして、メインルーチンに戻る（Ｓ３９）。または、電話の呼び出し回数が指定回数以下のときは（Ｓ３４：Ｎｏ）、着信したかどうか確認する（Ｓ３６）。着信していない場合は（Ｓ３６：Ｎｏ）、もう一度呼び出しを行い、回数をカウントする（Ｓ３４）。着信した場合は（Ｓ３６：Ｙｅｓ）、電話回線を接続し（Ｓ３７）、前記リクエスト情報を基にコールバックの電話であることの説明ナレーションを流し（Ｓ３８）、コールバックフラグをＯＦＦにして、メインルーチンに戻る（Ｓ３９）。
【００１３】
次に、カラオケ制御装置１４は、カラオケ装置１６にリクエスト曲の演奏開始の指示命令を出力する。カラオケ装置１６は前記開始指示命令が入力すると、すでに入力されているリクエスト曲情報をＭＩＤＩ規格に基づき復調し、復調したリクエスト曲情報を変調器１１に出力する。変調器１１は入力されたリクエスト曲情報を変調し、ケーブルテレビ回線４を介して送信する（Ｓ７）。
【００１４】
次に、リクエスト曲の演奏が開始されるとダイヤルボタン操作ＳＵＢ１（電話機３１のダイヤルボタン操作による制御命令入力処理のサブルーチン処理）内を実行する（Ｓ８）。ダイヤルボタン操作ＳＵＢ１のサブルーチン処理手順内容を図４に示すフローチャートを参照して詳細に説明する。まず、コールバック装置１５はコールバックした電話がまだ接続中かどうか確認し、電話回線が切断されていればカラオケ制御装置１４に電話回線切断完了信号を出力する（Ｓ５１：Ｎｏ）。また、接続中であれば（Ｓ５１：Ｙｅｓ）リクエスト者からの電話機３１のダイヤルボタンによるトーン信号の入力を監視し、トーン信号の入力があれば（Ｓ５２：Ｙｅｓ）、前記トーン信号をダイヤルボタン番号のディジタル符号に変換し、カラオケ制御装置１４に出力する。カラオケ制御装置１４は入力された前記ダイヤルボタン番号に対応するカラオケ装置操作命令をカラオケ装置１６に出力する（Ｓ５３）。カラオケ装置１６は前記カラオケ装置操作命令が入力するとそれに対応して演奏キー等の設定を変更し、変調器１１へ続けて出力する。また、リクエスト者が電話機３１のダイヤルボタンによりカラオケ装置操作命令を入力できる時間は予め指定されており、指定時間が経過していなければ（Ｓ５４：Ｎｏ）、カラオケ制御装置１４はコールバック装置１５に電話回線が接続中であれば、ダイヤルボタンによるカラオケ装置操作命令の入力待ち状態に戻り（Ｓ５１：Ｙｅｓ）、電話回線が切断されていればカラオケ制御装置１４に電話回線切断完了信号を出力するように指示する（Ｓ５１：Ｎｏ）。また、前記指定時間が経過していれば（Ｓ５４：Ｙｅｓ）、カラオケ制御装置１４はコールバック装置１５に電話回線を切断するように指示する。コールバック装置１５は前記電話回線切断指示が入力されると電話回線を切断し、カラオケ制御装置１４に電話回線切断完了信号を出力する（Ｓ５５）。
次に、カラオケ制御装置１４は、前記電話回線切断完了信号が入力されると、電話回線が切断されていると判断し、メインルーチンに戻る（Ｓ５１：Ｎｏ）。
【００１５】
次に、カラオケ制御装置１４はリクエスト曲の予め決められている演奏終了一定時間前まで待機し（Ｓ９：Ｎｏ）、演奏終了一定時間前になれば、次のリクエスト受付情報を取り出しにいく（Ｓ９：Ｙｅｓ）。そして、放送時間中であれば（Ｓ１：Ｙｅｓ）、次のリクエスト受付情報に対応する（Ｓ２）。放送時間が終了していれば（Ｓ１：Ｎｏ）、カラオケ放送の送信を終了する（Ｓ１０）。
【００１６】
このように、本第１実施形態のコールバック機能付きカラオケシステムにおいては、カラオケ放送受信側３がカラオケ曲をリクエストすると、カラオケ放送送信側１からリクエスト曲の放送が開始される一定時間前に、カラオケ放送受信側３へコールバック電話をかけてリクエスト曲の放送開始を知らせ、また、前記コールバック電話の電話回線を接続したままにしておき、リクエスト曲の演奏キーが希望する演奏キーでなかった場合等は、カラオケ放送受信側３が電話機３１のダイヤルボタンを操作することにより、カラオケ放送送信側１のリクエスト曲演奏中のカラオケ装置１６を遠隔操作でき、演奏キー等を希望の設定に変更できる。
したがって、カラオケ放送受信側３はコールバック電話を受けることにより、リクエスト曲演奏の放送を見逃すことなく、また、コールバックの電話機３１のダイヤルボタンを操作することにより、リクエスト者は演奏キー等を希望の設定値にしてカラオケをより楽しく歌うことが可能になる。
【００１７】
次に、本発明の第２実施形態に係るコールバック機能付きカラオケシステムを図５乃至図７に基づいて説明する。第２実施形態のシステム構成は、上記第１実施形態のシステム構成においてリクエスト曲だけでなくゲームのリクエストも受け付け、ゲームのリクエスト受付情報が記録装置１２に記録されている。また、カラオケ装置１６はゲーム機能も内蔵している。第２実施形態のゲームおよびリクエスト曲演奏を操作できるコールバック機能の処理手順を図５の処理フローチャートを参照して詳細に説明する。
まず、カラオケ放送送信側１のカラオケ制御装置１４は、カラオケチャンネルの放送時間中であるかどうかを内蔵されている時刻装置（図１には図示されていない）からの時間情報に基づいて判断し、放送時間中であれば（Ｓ１１：Ｙｅｓ）、記録装置１２に記録されているリクエスト受付情報を取り出し、リクエストゲームの未実施ゲームやリクエスト曲の未演奏曲があるかどうかチェックし、未実施ゲームや未演奏曲が無ければ、リクエスト待ちの状態に戻る（Ｓ１２：Ｎｏ）。
【００１８】
また、カラオケ制御装置１４はリクエストされている未実施ゲームや未演奏曲がある場合は（Ｓ１２：Ｙｅｓ）、優先度の最も高いリクエストが未実施ゲームであれば、前記未実施ゲームのゲーム情報を記録装置１２より取り出し、カラオケ装置１６に出力する（Ｓ１３：Ｙｅｓ）。そして、、コールバックフラグ（図１に図示されていない）をＯＮにする（Ｓ１４）。
【００１９】
次に、コールバックＳＵＢ２（ゲーム開始時のコールバック処理のサブルーチン処理）内を実行する（Ｓ１５）。コールバックＳＵＢ２のサブルーチン処理手順内容を図６に示すフローチャートを参照して詳細に説明する。まず、カラオケ制御装置１４は、コールバックフラグがＯＮであった場合、リクエスト者がコールバックを希望していると判定し、ゲームのリクエスト受付情報に基づいてコールバック装置１５にリクエスト情報を出力し、リクエスト者へコールバックの電話をかけるように指示命令を出力する（Ｓ６１）。
次に、コールバック装置１５は前記コールバックの電話をかける指示命令が入力されると、電話回線が接続中であれば（Ｓ６２：Ｙｅｓ）コールバックフラグをＯＦＦにしてメインルーチンに戻る（Ｓ６９）。また、電話回線が接続中でなければ（Ｓ６２：Ｎｏ）、さきに入力されたリクエスト情報の中のリクエスト者が登録してある電話番号先へコールバックの電話をかける（Ｓ６３）。そして、コールバック装置１５はコールバック電話の呼び出し回数をカウントし、指定回数以上になった場合は（Ｓ６４：Ｙｅｓ）、コールバックの電話呼び出しを中止し（Ｓ６８）、コールバックフラグをＯＦＦにして（Ｓ７０）、リクエストゲームの実施を中止し、メインルーチンの最初に戻り、次の優先度のリクエストに対応する（Ｓ１１）。
または、コールバックの電話の呼び出し回数が指定回数以下のときは（Ｓ６４：Ｎｏ）、着信したかどうか確認する（Ｓ６５）。着信していない場合は（Ｓ６５：Ｎｏ）、もう一度コールバック電話をかけ、呼び出し回数をカウントする（Ｓ６４）。着信した場合は（Ｓ６５：Ｙｅｓ）、電話回線を接続し（Ｓ６６）、前記リクエスト情報を基にコールバックの電話であることの説明ナレーションを流し（Ｓ６７）、コールバックフラグをＯＦＦにして、メインルーチンに戻る（Ｓ６９）。
【００２０】
次に、カラオケ制御装置１４は、カラオケ装置１６にリクエストゲームの開始の指示命令を出力する。カラオケ装置１６は前記開始指示命令が入力されると、すでに入力されているゲーム情報を実行し、実行したゲーム情報を変調器１１に出力する。変調器１１は入力されたゲーム情報を変調し、ケーブルテレビ回線４を介して送信する（Ｓ１６）。
【００２１】
次に、カラオケ装置１６においてゲームの実行が開始されるとダイヤルボタン操作ＳＵＢ２（電話のダイヤルボタン操作による制御命令入力処理のサブルーチン処理）内を実行する（Ｓ１７）。ダイヤルボタン操作ＳＵＢ２のサブルーチン処理手順内容を図７に示すフローチャートを参照して詳細に説明する。まず、コールバック装置１５はコールバックした電話がまだ接続中かどうか確認し、接続中でなければ（Ｓ８１：Ｎｏ）、カラオケ制御装置１４に電話回線切断完了信号を出力し、カラオケ制御装置１４は前記電話回線切断完了信号が入力されると、カラオケ装置１６にゲーム終了命令を指示し、メインルーチンに戻る（Ｓ８６）。
また、接続中であれば（Ｓ８１：Ｙｅｓ）、コールバック装置１５はリクエスト者からの電話機３１のダイヤルボタンによるトーン信号の入力を監視し、トーン信号の入力があれば（Ｓ８２：Ｙｅｓ）、前記トーン信号をダイヤルボタン番号のディジタル符号に変換し、カラオケ制御装置１４に出力する。カラオケ制御装置１４は入力された前記ダイヤルボタン番号に対応するカラオケ装置１６のゲーム操作命令をカラオケ装置１６に出力する（Ｓ８３）。カラオケ装置１６は前記ゲーム操作命令が入力するとそれに対応してゲームのコマンドを実行し、変調器１１へ実行しているゲーム情報を続けて出力する。また、リクエスト者が電話機３１のダイヤルボタンによりゲーム操作命令を入力できる時間は予め指定されており、指定時間が経過していなければ（Ｓ８４：Ｎｏ）、カラオケ制御装置１４はコールバック装置１５にダイヤルボタンによるゲーム操作命令の入力待ち状態に戻るように指示する（Ｓ８１）。また、前記指定時間が経過していれば（Ｓ８４：Ｙｅｓ）、カラオケ制御装置１４はコールバック装置１５に電話回線を切断するように指示する。コールバック装置１５は前記電話回線切断指示が入力されると電話回線を切断し、カラオケ制御装置１４に電話回線切断完了信号を出力する（Ｓ８５）。
次に、カラオケ制御装置１４は、前記電話回線切断完了信号が入力されると、電話回線が切断されていると判断し、カラオケ装置１６にゲーム終了命令を指示し、メインルーチンに戻る（Ｓ８６）。
【００２２】
次に、カラオケ制御装置１４は、放送時間中であれば、次の優先度のリクエスト受付情報をを取り出しにいく（Ｓ１１：Ｙｅｓ）。また、放送時間が終了していれば（Ｓ１１：Ｎｏ）、カラオケ放送の送信を終了する（Ｓ２６）。
【００２３】
次に、カラオケ制御装置１４はリクエストされている未実施ゲームや未演奏曲がある場合は（Ｓ１２：Ｙｅｓ）、優先度の最も高いリクエストが未演奏曲であれば、未演奏曲で優先度の最も高いリクエスト曲のリクエスト曲情報をカラオケ装置１６に出力する（Ｓ１３：Ｎｏ）。次に、前記リクエスト曲のリクエスト受付情報にコールバックの要求があれば（Ｓ１９：Ｙｅｓ）、コールバックフラグ（図１に図示されていない）をＯＮにし（Ｓ２０）、コールバックの要求がなければ（Ｓ１９：ＮＯ）、コールバックフラグをＯＦＦにする（Ｓ２１）。
次にコールバックＳＵＢ１（コールバック処理のサブルーチン処理）内を実行する（Ｓ２２）。コールバックＳＵＢ１のサブルーチン処理手順内容を図３に示すフローチャートを参照して詳細に説明する。まず、カラオケ制御装置１４は、次のリクエスト曲のコールバックが希望されているかどうかコールバックフラグにより判定する（Ｓ３１）。コールバックフラグがＯＮであった場合、カラオケ制御装置１４はコールバックを希望していると判定し、リクエスト受付情報に基づいてコールバック装置１５にリクエスト情報を出力し、リクエスト者へコールバックの電話をかけるように指示命令を出力する（Ｓ３１：Ｙｅｓ）。また、コールバックフラグがＯＦＦのときはメインルーチンに戻る。
次に、コールバック装置１５は前記コールバックの電話をかける指示命令が入力されると、電話回線が接続中であれば（Ｓ３２：Ｙｅｓ）コールバックフラグをＯＦＦにしてメインルーチンに戻る（Ｓ３９）。また、電話回線が接続中でなければ（Ｓ３２：Ｎｏ）、さきに入力されたリクエスト情報の中のリクエスト者が登録してある電話番号先へ電話をかける（Ｓ３３）。そして、コールバック装置１５は電話の呼び出し回数をカウントし、指定回数以上になった場合は（Ｓ３４：Ｙｅｓ）、電話呼び出しを中止し（Ｓ３５）、コールバックフラグをＯＦＦにして、メインルーチンに戻る（Ｓ３９）。または、電話の呼び出し回数が指定回数以下のときは（Ｓ３４：Ｎｏ）、着信したかどうか確認する（Ｓ３６）。着信していない場合は（Ｓ３６：Ｎｏ）、もう一度呼び出しを行い、回数をカウントする（Ｓ３４）。着信した場合は（Ｓ３６：Ｙｅｓ）、電話回線を接続し（Ｓ３７）、前記リクエスト情報を基にコールバックの電話であることの説明ナレーションを流し（Ｓ３８）、コールバックフラグをＯＦＦにして、メインルーチンに戻る（Ｓ３９）。
【００２４】
次に、カラオケ制御装置１４は、カラオケ装置１６にリクエスト曲の演奏開始の指示命令を出力する。カラオケ装置１６は前記開始指示命令が入力すると、すでに入力されているリクエスト曲情報をＭＩＤＩ規格に基づき復調し、復調したリクエスト曲情報を変調器１１に出力する。変調器１１は入力されたリクエスト曲情報を変調し、ケーブルテレビ回線４を介して送信する（Ｓ２３）。
【００２５】
次に、リクエスト曲の演奏が開始されるとダイヤルボタン操作ＳＵＢ１（電話機３１のダイヤルボタン操作による制御命令入力処理のサブルーチン処理）内を実行する（Ｓ２４）。ダイヤルボタン操作ＳＵＢ１のサブルーチン処理手順内容を図４に示すフローチャートを参照して詳細に説明する。まず、コールバック装置１５はコールバックした電話がまだ接続中かどうか確認し、電話回線が切断されていればカラオケ制御装置１４に電話回線切断完了信号を出力する（Ｓ５１：Ｎｏ）。また、接続中であれば（Ｓ５１：Ｙｅｓ）リクエスト者からの電話機３１のダイヤルボタンによるトーン信号の入力を監視し、トーン信号の入力があれば（Ｓ５２：Ｙｅｓ）、前記トーン信号をダイヤルボタン番号のディジタル符号に変換し、カラオケ制御装置１４に出力する。カラオケ制御装置１４は入力された前記ダイヤルボタン番号に対応するカラオケ装置操作命令をカラオケ装置１６に出力する（Ｓ５３）。カラオケ装置１６は前記カラオケ装置操作命令が入力するとそれに対応して演奏キー等の設定を変更し、変調器１１へ演奏しているリクエスト曲情報を続けて出力する。また、リクエスト者が電話機３１のダイヤルボタンによりカラオケ装置操作命令を入力できる時間は予め指定されており、指定時間が経過していなければ（Ｓ５４：Ｎｏ）、カラオケ制御装置１４はコールバック装置１５に電話回線が接続中かどうか確認し、電話回線が接続中であればダイヤルボタンによるカラオケ装置操作命令の入力待ち状態に戻り（Ｓ５１：Ｙｅｓ）、電話回線が接続されていなければカラオケ制御装置１４に電話回線切断完了信号を出力するように指示する（Ｓ５１：Ｎｏ）。また、前記指定時間が経過していれば（Ｓ５４：Ｙｅｓ）、カラオケ制御装置１４はコールバック装置１５に電話回線を切断するように指示する。コールバック装置１５は前記電話回線切断指示が入力されると電話回線を切断し、カラオケ制御装置１４に電話回線切断完了信号を出力する（Ｓ５５）。
次に、カラオケ制御装置１４は、前記電話回線切断完了信号が入力されると、電話回線が切断されていると判断し、メインルーチンに戻る（Ｓ５１：Ｎｏ）。
【００２６】
次に、カラオケ制御装置１４はリクエスト曲の予め決められている演奏終了一定時間前まで待機し（Ｓ２５：Ｎｏ）、演奏終了一定時間前になれば次の優先度のリクエスト受付情報を取り出しにいく（Ｓ２５：Ｙｅｓ）。そして、リクエスト曲の演奏を続け、放送時間中であれば（Ｓ１１：Ｙｅｓ）、次のリクエスト受付情報に対応していく（Ｓ１２）。また、放送時間が終了していれば（Ｓ１１：Ｎｏ）、カラオケ放送の送信を終了する（Ｓ２６）。
【００２７】
このように、本第２実施形態のコールバック機能付きカラオケシステムにおいては、カラオケ放送受信側３がカラオケ曲をリクエストすると、カラオケ放送送信側１からリクエスト曲の放送が開始される一定時間前に、カラオケ放送受信側３へコールバック電話をかけてリクエスト曲の放送開始を知らせ、また、前記コールバック電話の電話回線を接続したままにしておき、リクエスト曲の演奏キーが希望する演奏キーでなかった場合等は、カラオケ放送受信側３が電話機３１のダイヤルボタンを操作することにより、カラオケ放送送信側１のリクエスト曲演奏中のカラオケ装置１６を遠隔操作でき、演奏キー等を希望の設定に変更できる。
また、カラオケ放送受信側３がゲームをリクエストすると、カラオケ放送送信側１からゲームの放送が開始される一定時間前に、ゲームリクエスト者へコールバック電話をかけてゲームの放送開始を知らせ、また、前記コールバック電話の電話回線を接続したままにしておき、カラオケ放送受信側３が電話機３１のダイヤルボタンを操作することにより、リクエストゲームの操作コマンドをカラオケ装置１６へ入力することができる。
したがって、カラオケ放送受信側３はコールバック電話を受け取ることにより、リクエスト曲演奏やリクエストゲームの放送を見逃すことなく、また、コールバック電話の電話機３１のダイヤルボタンを操作することにより、リクエスト者は演奏キー等を希望の設定値にして、より楽しくカラオケを歌うことが可能になる。さらに、カラオケ放送送信側１にゲームのコマンドを送ることができ、カラオケ装置１６にゲームコマンドを入力して、ゲームを行うことが可能になる。
【００２８】
したがって、本第１実施形態によれば、カラオケ放送受信側３はコールバック電話によりリクエスト曲演奏の放送を見逃すことなく、また、コールバック時の電話機３１のダイヤルボタンを操作することによりカラオケ放送送信側１のカラオケ装置１６を遠隔操作することが可能となり、リクエスト者は演奏キー等を希望の設定値にして、より楽しくカラオケを歌うことが可能になる。
また、本第２実施形態によれば、カラオケ放送受信側３はコールバック電話を受け取ることにより、リクエスト曲演奏やリクエストゲームの放送を見逃すことなく、また、コールバック時の電話機３１のダイヤルボタンを操作することによりカラオケ放送送信側１のカラオケ装置１６を遠隔操作することが可能となり、リクエスト者は演奏キー等を希望の設定値にして、より楽しくカラオケを歌うことが可能になり、さらには、カラオケ放送送信側１にゲームのコマンドを送ることができ、カラオケ装置１６にゲームコマンドを入力して、ゲームを行うことが可能になる。
【００２９】
尚、本発明は前記実施形態に限定されるものではなく、本発明の要旨を逸脱しない範囲内で種々の改良、変形が可能であることは勿論であり、以下のようにしてもよい。
（ａ）カラオケ装置に占いやその他のゲーム等を搭載してもよい。
（ｂ）上記実施形態では、１人のリクエスト者に対応しているが、ゲームの放送においては同時に複数のリクエスト者がゲームに参加できる構成にしてもよい。
（ｃ）上記実施形態では、リクエスト等に公衆電話回線を使っているが、ケーブルテレビ回線を利用したケーブルホーンを使ってコールバック電話の通信等を行ってもよい。
（ｄ）ホテル内等における構内電話網を使用して、各部屋とホテル内等に設置したカラオケ装置間のカラオケシステムに応用してもよい。
【００３０】
【発明の効果】
以上説明した通り本発明に係るコールバック機能付きカラオケシステムは、カラオケ放送受信側はコールバック電話によりリクエスト曲演奏の放送を見逃すことなく、また、コールバック時の電話のダイヤルボタンを操作することによりカラオケ放送送信側のカラオケ装置を遠隔操作することが可能となり、リクエスト者は演奏キー等を希望の設定値にしてカラオケを歌うことが可能なコールバック機能付きカラオケシステムを提供することができる。
また、コールバック時の電話のダイヤルボタンを操作することにより、カラオケ放送受信側からカラオケ放送送信側にゲームのコマンドを送ることができ、カラオケ装置にゲームコマンドを入力して、ゲームを行うことが可能なコールバック機能付きカラオケシステムを提供することができる。
【図面の簡単な説明】
【図１】本発明を具体化した、第１実施形態であるコールバック機能付きカラオケシステムの全体構成を示すブロック図である。
【図２】本発明を具体化した、第１実施形態のリクエスト曲の演奏キー等を変更するコールバック機能の処理手順のフローチャートである。
【図３】本発明を具体化した、第１実施形態および第２実施形態のリクエスト曲のコールバックのサブルーチン処理のフローチャートである。
【図４】本発明を具体化した、第１実施形態および第２実施形態のリクエスト曲演奏時のダイヤルボタン操作による制御命令入力のサブルーチン処理のフローチャートである。
【図５】本発明を具体化した、第２実施形態のリクエストゲームのコマンド入力やリクエスト曲の演奏キー等を変更するコールバック機能の処理手順のフローチャートである。
【図６】本発明を具体化した、第２実施形態のゲームリクエスト時のコールバックのサブルーチン処理のフローチャートである。
【図７】本発明を具体化した、第２実施形態のゲームリクエスト時のリクエストゲーム実行時のコールバック電話のダイヤルボタン操作によるゲームコマンド入力のサブルーチン処理のフローチャートである。
【符号の説明】
１  カラオケ放送送信側
２  公衆電話回線
３  カラオケ放送受信側
４  ケーブルテレビテレビ回線
１１  変調器
１２  記録装置
１３  リクエスト受付装置
１４  カラオケ制御装置
１５  コールバック装置
１６  カラオケ装置
３１  電話機
３２  テレビ
３３  チューナ
【図１】
0003907758.tif 000002
【図２】
0003907758.tif 000003
【図３】
0003907758.tif 000004
【図４】
0003907758.tif 000005
【図５】
0003907758.tif 000006
【図６】
0003907758.tif 000007
【図７】
0003907758.tif 000008